(57)【要約】  【課題】  光ディスクにレーザ光を照射する光ヘッド及び光ヘッドを用いた光ディスク装置において、フォーカシングコイル及びトラッキングコイルに電力を供給するＦＦＣ、ＦＰＣ等の配線基板を抹消し、フォーカシング、トラッキングの精度を高めることができるとともに耐久性を高める。  【解決手段】  ケース２２と、対物レンズ４を保持するレンズ保持部２１１と、シャフト２２３と回動可能且つ摺動可能に外嵌する円筒形状の軸孔２１２と、円筒形状の一部が切り取られた形状のスリーブ２１６と、トラッキングコイル２１３とフォーカシングコイル２１４とを備えるレンズホルダ２１と、スリーブ２１６に向けて付勢される電源ばね２３を有しており、電源ばね２３はスリーブ２１６に配置された電源供給部２１３３、２１４３と常時接触し、トラッキングコイル２１３及びフォーカシングコイル２１４に独立して電源を供給する。【選択図】      図６
2006155813.tif 000002
【特許請求の範囲】
【請求項１】
光ディスクを回転させるスピンドルモータと、前記光ディスクに対してレーザ光を照射
する光ヘッドと、信号を処理するための信号処理装置と、前記光ヘッドにて検出され前記
信号処理装置にて復号化された信号を外部の映像表示部に接続するための外部接続部と、
制御部とを備える光ディスク装置であって、
レーザ光を照射するレーザ光源と、前記レーザ光を反射するミラーと、前記レーザ光を
平行光にするコリメータレンズと、前記レーザ光を前記光ディスクに照射するための対物
レンズと、前記光ディスクで反射した光を分光するビームスプリッタと、光を受光し電気
信号に変換する受光素子と、前記対物レンズを駆動するアクチュエータとを有する光ヘッ
ドを備えており、
前記アクチュエータは、底部と、前記底部と垂直に突出する立ち上がり部と、接地され
前記底部の略中央に前記立ち上がり部と同じ方向に突出した円柱状のシャフトと、前記立
ち上がり部に前記シャフトを挟んで配置され前記シャフトとの間に磁界を形成する永久磁
石とを備えるケースと、
前記ケース内に配置され、前記対物レンズが保持されるレンズ保持部と、前記レンズ保
持部の略中央に前記シャフトと回動可能且つ摺動可能に外嵌する円筒形状の軸孔と、前記
軸孔と連続して形成され、円筒形状の一部が切り取られた形状のスリーブと、前記軸孔を
挟んで正対し、前記磁界内に一部が配置されるトラッキングコイルと、前記軸孔を外嵌し
一部が前記磁界内に配置されるフォーカシングコイルと、導電性を有し前記フォーカシン
グコイルの前記レンズ保持部の反対側に配置され、前記シャフトと常時通電状態で接触す
るための接触通電部を有する磁性板と、を備えたレンズホルダと、
導電性を有し、互いに接触しないように配置された２本の電力供給用の電極ばねと、を
有しており、
前記トラッキングコイル及び前記フォーカシングコイルの導線の一方の端部は前記磁性
板に電気的に接続されており、他方の端部は被覆を取り除かれ、前記軸孔の軸方向に延び
、互いに接触しないように前記スリーブの表面に配置され電力供給部が形成されており、
前記２本電極ばねは前記スリーブに向けて付勢され、それぞれ前記トラッキングコイル
及び前記フォーカシングコイルの電力供給部に常に接触するとともに、前記フォーカシン
グコイル及び前記トラッキングコイルそれぞれに独立して電力を供給することを特徴とす
る光ディスク装置。
【請求項２】
レーザ光を照射するレーザ光源と、前記レーザ光を反射するミラーと、前記レーザ光を
平行光にするコリメータレンズと、前記レーザ光を前記光ディスクに照射するための対物
レンズと、前記光ディスクで反射した光を分光するビームスプリッタと、光を受光し電気
信号に変換する受光素子と、前記対物レンズを駆動するアクチュエータとを備えており、
前記アクチュエータは、底部と、前記底部と垂直に突出する立ち上がり部と、接地され
前記底部の略中央に前記立ち上がり部と同じ方向に突出した円柱状のシャフトと、前記立
ち上がり部に前記シャフトを挟んで配置され前記シャフトとの間に磁界を形成する永久磁
石とを備えるケースと、
前記ケース内に配置され、前記対物レンズが保持されるレンズ保持部と、前記レンズ保
持部の略中央に前記シャフトと回動可能且つ摺動可能に外嵌する円筒形状の軸孔と、前記
軸孔と連続して形成され、円筒形状の一部が切り取られた形状であり表面に導電性を有す
る２個の電力供給端子部が備えられたスリーブと、前記軸孔を挟んで正対し、前記磁界内
に一部が配置されるトラッキングコイルと、前記軸孔を外嵌し一部が前記磁界内に配置さ
れるフォーカシングコイルと、導電性を有し前記フォーカシングコイルの前記レンズ保持
部の反対側に配置され、前記シャフトと常時通電状態で接触するための接触通電部を有す
る磁性板と、を備えたレンズホルダと、
導電性を有し、互いに接触しないように配置された２本の電力供給用の電極ばねと、を
有しており、
前記トラッキングコイル及び前記フォーカシングコイルの導線の一方の端部は前記磁性板
に電気的に接続されており、前記２個の電力供給端子部は互いに電気的に非接触に配置さ
れるとともに、それぞれ前記トラッキングコイル及び前記フォーカシングコイルの他方の
端部が接続されており、
前記２本電極ばねは前記スリーブに向けて付勢され、それぞれ電力供給端子部に常に接
触するとともに、前記フォーカシングコイル及び前記トラッキングコイルそれぞれに独立
して電力を供給することを特徴とする光ヘッド。
【請求項３】
レーザ光を照射するレーザ光源と、前記レーザ光を反射するミラーと、前記レーザ光を
平行光にするコリメータレンズと、前記レーザ光を前記光ディスクに照射するための対物
レンズと、前記光ディスクで反射した光を分光するビームスプリッタと、光を受光し電気
信号に変換する受光素子と、前記対物レンズを駆動するアクチュエータとを備えており、
前記アクチュエータは、底部と、前記底部と垂直に突出する立ち上がり部と、接地され
前記底部の略中央に前記立ち上がり部と同じ方向に突出した円柱状のシャフトと、前記立
ち上がり部に前記シャフトを挟んで配置され前記シャフトとの間に磁界を形成する永久磁
石とを備えるケースと、
前記ケース内に配置され、前記対物レンズが保持されるレンズ保持部と、前記レンズ保
持部の略中央に前記シャフトと回動可能且つ摺動可能に外嵌する円筒形状の軸孔と、前記
軸孔と連続して形成され、円筒形状の一部が切り取られた形状のスリーブと、前記軸孔を
挟んで正対し、前記磁界内に一部が配置されるトラッキングコイルと、前記軸孔を外嵌し
一部が前記磁界内に配置されるフォーカシングコイルと、導電性を有し前記フォーカシン
グコイルの前記レンズ保持部の反対側に配置され、前記シャフトと常時通電状態で接触す
るための接触通電部を有する磁性板と、を備えたレンズホルダと、
導電性を有し、互いに接触しないように配置された２本の電力供給用の電極ばねと、を
有しており、
前記トラッキングコイル及び前記フォーカシングコイルの導線の一方の端部は前記磁性
板に電気的に接続されており、他方の端部は被覆を取り除かれ、前記軸孔の軸方向に延び
、互いに接触しないように前記スリーブの表面に配置され電力供給部が形成されており、
前記２本電極ばねは前記スリーブに向けて付勢され、それぞれ前記トラッキングコイル
及び前記フォーカシングコイルの電力供給部に常に接触するとともに、前記フォーカシン
グコイル及び前記トラッキングコイルそれぞれに独立して電力を供給することを特徴とす
る光ヘッド。
【請求項４】
レーザ光を照射するレーザ光源と、
接地され前記底部の略中央に前記立ち上がり部と同じ方向に突出した円柱状のシャフト
と、前記立ち上がり部に前記シャフトを挟んで配置され前記シャフトとの間に磁界を形成
する永久磁石とを備えるケースと、
前記ケース内に配置され、前記対物レンズが保持されるレンズ保持部と、前記レンズ保
持部の略中央に前記シャフトと回動可能且つ摺動可能に外嵌する円筒形状の軸孔と、前記
軸孔と連続して形成され、円筒形状の一部が切り取られた形状のスリーブと、前記磁界内
に一部が配置される複数個の駆動コイルと、導電性を有し前記シャフトと常時通電状態で
接触するための接触通電部を有する磁性板とを備えるレンズホルダと、
導電性を有し、互いに接触しないように配置された前記複数個の駆動コイルに対応した
電力供給用の電極ばねとを備えており、
前記駆動コイルの導線の一方の端部は前記磁性板に電気的に接続されており、他方の端
部は被覆を取り除かれ、互いに接触しないように前記スリーブの表面に前記軸孔の軸方向
に平行に配置される電力供給部が形成されており、
前記２本電極ばねは前記スリーブに向けて付勢され、それぞれ前記複数個の駆動コイル
の電力供給部に常に接触するとともに、前記複数個の駆動コイルそれぞれに独立して電力
を供給することを特徴とする光ヘッド。
【請求項５】
前記電極ばねの前記スリーブと接触する部分は該スリーブの表面に沿う形状を有してい
ることを特徴とする請求項４に記載の光ヘッド。
【請求項６】
前記スリーブの表面に導電性の電力供給端子部が備えられており、
前記電力供給端子部は互いに電気的に非接触に配置されるとともに前記複数のコイルの
電力供給部は前記電力供給端子部と電気的に接続され、
前記複数の電極ばねは対応する前記電力供給端子部にそれぞれ独立して常時接触するこ
とを特徴とする請求項４又は請求項５に記載の光ヘッド。
【発明の詳細な説明】
【技術分野】
【０００１】
本発明は、光ディスクにレーザ光を照射することでデータの記録及び（又は）読出しを
行うことができる光ディスク装置に関するものであり、特に前記光ディスクにレーザ光を
照射する光ヘッドに関するものである。
【背景技術】
【０００２】
映像、音声等の情報の記録媒体としてレーザ光を照射することで情報を記録したり及び
（又は）読出したりすることができる光ディスクが利用されている。前記光ディスクとし
て、ＣＤ（Compact Disc）、ＤＶＤ（Digital Versatile Disc）等が広く用いられている
。これら光ディスクを記録媒体として該光ディスクにデータを記録する及び（又は）該光
ディスクからデータの読出す光ディスク装置は、光ディスクの記録面に対しレーザ光を照
射することでデータを記録したり、反射してきた光を検出することでデータを読出したり
する光ヘッドを備えている。
【０００３】
図２に光ヘッドの配置図を示す。図２に示す光ヘッドはそれには限定されないがここで
は、光ディスクに記録されているデータを読出す読出し専用の光ヘッドである。図２に示
すようにレーザ光源Ｌｄと、ミラーＭｒと、コリメータレンズ３と、対物レンズ４と、ビ
ームスプリッタＢｓと、受光素子Ｐｄとを有している。レーザ光源Ｌｄより照射されたレ
ーザ光はミラーＭｒで反射されてコリメータレンズ３に入射する。コリメータレンズ３に
入射したレーザ光は平行光として出射され対物レンズ４に入射する。対物レンズ４に入射
したレーザ光は光ディスクＤｓの記録面に照射される。対物レンズ４はアクチュエータ９
２に配置されている。
【０００４】
このときレーザ光は光ディスクＤｓの記録層に焦点をあわせて、且つ、光軸と光ディス
クＤｓの記録層とが垂直になるようにレーザ光を照射する。ビームスプリッタＢｓは入射
されたレーザ光の半分を透過し半分を反射するプリズムであり、光ディスクＤｓで反射し
た光を受光素子Ｐｄに導くものである。受光素子Ｐｄは光を電流に変換するものであり、
光の強さによってデータを読み取るものである。光ディスクにデータを記録することので
きる光ヘッドも基本的に同様の構成である。
【０００５】
光ディスクＤｓはディスク面のぶれ、光ディスクＤｓの偏心等によって、光ディスクＤ
ｓのディスク面が水平面に対して振動する面ぶれや、半径方向のぶれが発生する。面ぶれ
及び半径方向のブレが発生すると、対物レンズ４から照射されるレーザ光を集光した光ス
ポットの焦点が光ディスクＤｓの記録面上に合わなかったり、記録面のトラックに正確に
照射されない等の不具合が発生する。以上のような不具合が発生すると、光スポットが正
確な位置に照射されていないときは光ディスクＤｓからのデータの読出し又は光ディスク
Ｄｓへの記録が行われず、再生中の音声が途切れたり、データの読出し、記録ミスが発生
したりする。
【０００６】
そこで、対物レンズ４を光ディスクＤｓの面ぶれ量にあわせて、光スポットの焦点が光
ディスクＤｓの記録面に合うように光ディスクＤｓの記録面に対して垂直なフォーカス方
向に移動（フォーカシング）させたり、光ディスクＤｓの光スポットが記録面のトラック
に正確に照射されるように半径方向であるトラッキング方向に必要に応じて移動（トラッ
キング）させたりする。
【０００７】
図１１に従来の光ヘッドの一例の平面図を、図１２に図１１に示すアクチュエータの断
面図を示す。図１１に示す光ヘッドＤはコリメータレンズ３を支持するベース９１と、対
物レンズ４を駆動するためのアクチュエータ９２とを備えている。ベース９１の側面には
光ヘッドＤの動作をディスクトラック方向（ディスク半径方向）に動作方向を規制するた
めに形成された軸９１０と、軸９１０と摺動可能に係合する摺動孔９１１と、摺動孔９１
１に隣接して形成されるラックギヤ９１２と、ラックギヤ９１２と歯合するピニオンギヤ
９１３とを備えている。
【０００８】
アクチュエータ９２は対物レンズ４と対物レンズ４を保持駆動するレンズホルダ９３と
、レンズホルダ９３を支持するケース９４と、電力を供給する基板９５とを有している。
【０００９】
レンズホルダ９３は、対物レンズ４を保持するレンズ保持部９３１と、ケース９４に設
けられた後述のシャフト９４３と摺動及び回動可能に外嵌する軸孔９３２と、レンズホル
ダ９３をシャフト９４３を中心に揺動させるためのトラッキングコイル９３３と、レンズ
ホルダ９３をシャフト９４３にそって摺動させるためのフォーカシングコイル９３４と、
ケース９４に設けられた後述の永久磁石より発生する磁界にて力を受ける磁性板９３５と
を有している。
【００１０】
ケース９４は平面視矩形状の底面９４１と、底面９４１の４辺から立ち上がる立ち上が
り壁９４２と、底面９４１からケース９４内部に向かって突出するシャフト９４３と、シ
ャフト９４３を挟んで立ち上がり壁９４２に正対して配置される永久磁石９４４とを有し
ている。シャフト９４３は磁性体で形成されている。永久磁石９４４とシャフト９４３の
間に磁界が発生している。
【００１１】
シャフト９４３はレンズホルダ９３の軸孔９３２を回動可能及び摺動可能に嵌合するよ
うにケース９４内部に配置されている。このとき、永久磁石９４４とシャフト９４３の間
に発生する磁界内にレンズホルダ９３の磁性板９３５が配置される。磁性板９３５が磁界
内に配置されることで、磁性板９３５に磁気力が付与する。レンズホルダ９３は磁性板９
３５に付与する磁気力によってケース９４に接触しないように浮遊支持される。
【００１２】
また、永久磁石９４４とシャフト９４３の間の磁界にトラッキングコイル９３３及びフ
ォーカシングコイル９３４が配置されている。トラッキングコイル９３３に電流を流すこ
とで、トラッキングコイル９３３にローレンツ力が発生する。このローレンツ力によって
、レンズホルダ９３はシャフト９４３を中心に揺動される。また、フォーカシングコイル
９３４に電流を流すことで、フォーカシングコイル９３４にローレンツ力が発生する。こ
のローレンツ力によって、レンズホルダ９３はシャフト９４３の軸方向に摺動される。
【００１３】
このとき、トラッキングコイル９３３及びフォーカシングコイル９３４は基板９５と接
続しており、基板９５より電力が供給されている。基板９５はケース９４の外部に取り付
けられるメイン基板９５１と、レンズホルダ９３に取り付けられトラッキングコイル９３
３及びフォーカシングコイル９３４と接続するサブ基板９５２と、メイン基板９５１とサ
ブ基板９５２を接続する配線基板９５３とを有している。配線基板９５３はレンズホルダ
９３に固定されている。トラッキング及びフォーカシングを行うときにレンズホルダ９３
がシャフト９４３の周方向に揺動したり、シャフト９４３にそって摺動したりするので、
配線基板９５３は変形しやすいＦＰＣ（Flexible Printed Circuit）やＦＦＣ（Flexible
Flat Cable）等の平形ケーブルが用いられている。
【００１４】
しかしながら、基板９５はトラッキングコイル９３３及びフォーカシングコイル９３４
に電力を供給するものであり、＋極に接続される配線と、−極に接続される（接地される
）配線とを有しており、配線が複雑になる。
【００１５】
特開2002-358676号公報に記載の発明は光ディスク表面より浮上するスライダに圧電素
子層を配置し、前記スライダに配置された複数のレンズの間隔を前記圧電素子層で制御す
るものを示している。前記スライダは第１の弾性部材にて弾性支持されており、第１の弾
性部材を介して圧電素子層に電力供給を行うものを示している。これにより、圧電素子層
への導線を省略するものが示されている。
【００１６】
また特開2002-117568号公報に記載の発明は、対物レンズ及び収差補正素子とをフォー
カシング駆動及びトラッキング駆動するアクチュエータを有する光学ユニットであって、
前記アクチュエータを駆動する駆動信号に収差補正素子を駆動する収差補正信号を重畳し
て受信し、光学ユニットに備えられた信号分離手段にて収差補正信号を分離して収差補正
するものを示している。このことは、光学ユニットの外部に形成された制御装置からの駆
動信号用ケーブルと収差補正信号用ケーブルを１つにまとめ、配線を簡略化するものを示
している。
【特許文献１】特開2002-358676号公報
【特許文献２】特開2002-117568号公報
【発明の開示】
【発明が解決しようとする課題】
【００１７】
特開2002-358676号公報に記載の構成では、永久磁石と磁性板にて浮遊支持されるレン
ズホルダには、該レンズホルダを弾性支持する弾性部材が配置されていないので、弾性部
材を用いての電力供給ができず、電力供給用のケーブルを抹消することはできない。特開
2002-117568号公報に記載の構成では、複数あったケーブルを共通化するものであり、完
全に抹消することはできない。また、信号分離手段を駆動部に配置しなくてはならず、駆
動部の重量が増加する恐れがある。
【００１８】
配線基板９５３を配置する場合、上述のとおり、一方の端部は固定部であるケース９４
に固定されたメイン基板９５１と、他方の端部は可動部であるレンズホルダ９３に固定さ
れたサブ基板９５２を接続している。図１１、１２に示しているように、フォーカシング
動作方向とトラッキング動作方向は立体的に交差する方向なので、トラッキング及び（又
は）フォーカシングに配線基板９５３にせん断等の無理な力が付与する。
【００１９】
また、配線基板９５３はレンズホルダ９３がフォーカシング又はトラッキング動作を行
うときに、配線基板９５３に曲げ、ねじれ等の変形が発生する。配線基板９５３は変形す
ると、その弾性力によってもとに戻ろうとする力（復元力）が発生し、レンズホルダ９３
の及びトラッキング動作（又は）フォーカシング動作を精度よく行うのは困難である。ま
た、前記復元力は大きさ向きを予測するのは難しく、該復元力を考慮してトラッキング動
作及び（又は）フォーカシング動作を行うのは非常に困難である。さらに、配線基板９５
３を取り付けることで、レンズホルダ９３の可動範囲が狭くなる。
【００２０】
また、配線基板９５３に無理なせん断力が付勢することで配線基板９５３が破損する等
の不具合が発生する。配線基板９５３が破損すると、トラッキングコイル９３３及び（又
は）フォーカシングコイル９３４に電流を流すことができなくなるので、トラッキング及
び（又は）フォーカシングを行うことができなくなる。
【００２１】
そこで本発明は、フォーカシングコイル及びトラッキングコイルに電力を供給するＦＦ
Ｃ、ＦＰＣ等の配線基板を抹消し、該配線基板による予測できない（予測しにくい）力が
発生するのを防ぎ、フォーカシング、トラッキングの精度を高めることができるとともに
耐久性を高めることができる光ヘッド及び光ヘッドを用いた光ディスク装置を提供するこ
とを目的とする。
【００２２】
また本発明は、配線基板を抹消するとともに、前記フォーカシングコイル及びトラッキ
ングコイルに電力を供給する配線を簡易化することができ、製造にかかる手間、時間を削
減することができる光ヘッド及び光ヘッドを用いた光ディスク装置を提供することを目的
とする。
【課題を解決するための手段】
【００２３】
上記目的を達成するために本発明は、光ディスクを回転させるスピンドルモータと、前
記光ディスクに対してレーザ光を照射する光ヘッドと、信号を処理するための信号処理装
置と、前記光ヘッドにて検出され前記信号処理装置にて復号化された信号を外部の映像表
示部に接続するための外部接続部と、制御部とを備える光ディスク装置であって、レーザ
光を照射するレーザ光源と、前記レーザ光を反射するミラーと、前記レーザ光を平行光に
するコリメータレンズと、前記レーザ光を前記光ディスクに照射するための対物レンズと
、前記光ディスクで反射した光を分光するビームスプリッタと、光を受光し電気信号に変
換する受光素子と、前記対物レンズを駆動するアクチュエータとを有する光ヘッドを備え
ており、前記アクチュエータは、底部と、前記底部と垂直に突出する立ち上がり部と、接
地され前記底部の略中央に前記立ち上がり部と同じ方向に突出した円柱状のシャフトと、
前記立ち上がり部に前記シャフトを挟んで配置され前記シャフトとの間に磁界を形成する
永久磁石とを備えるケースと、前記ケース内に配置され、前記対物レンズが保持されるレ
ンズ保持部と、前記レンズ保持部の略中央に前記シャフトと回動可能且つ摺動可能に外嵌
する円筒形状の軸孔と、前記軸孔と連続して形成され、円筒形状の一部が切り取られた形
状のスリーブと、前記軸孔を挟んで正対し、前記磁界内に一部が配置されるトラッキング
コイルと、前記軸孔を外嵌し一部が前記磁界内に配置されるフォーカシングコイルと、導
電性を有し前記フォーカシングコイルの前記レンズ保持部の反対側に配置され、前記シャ
フトと常時通電状態で接触するための接触通電部を有する磁性板と、を備えたレンズホル
ダと、導電性を有し、互いに接触しないように配置された２本の電力供給用の電極ばねと
、を有しており、前記トラッキングコイル及び前記フォーカシングコイルの導線の一方の
端部は前記磁性板に電気的に接続されており、他方の端部は被覆を取り除かれ、前記軸孔
の軸方向に延び、互いに接触しないように前記スリーブの表面に配置され電力供給部が形
成されており、前記２本電極ばねは前記スリーブに向けて付勢され、それぞれ前記トラッ
キングコイル及び前記フォーカシングコイルの電力供給部に常に接触するとともに、前記
フォーカシングコイル及び前記トラッキングコイルそれぞれに独立して電力を供給するこ
とを特徴とする。
【００２４】
この構成によると、前記フォーカシングコイル及び前記トラッキングコイルに電力を供
給するための配線基板を省略することができるので、該配線の可動範囲の限界による前記
レンズホルダの動作の制限がなくなる。また、可動範囲内であっても、前記配線のねじれ
等の変形による力などの不確定な要素を取り除くことができるので、前記レンズホルダの
フォーカシング動作及びトラッキング動作の制御を簡易化することができるとともに、動
作精度を上げることができる。
【００２５】
また、前記フォーカシングコイル及び前記トラッキングコイルの接地側の端部はいずれ
も前記磁性板に接続され、前記ケースのシャフトを介して接地されるので、接地側の配線
を共通化するので、電力を供給する配線を簡略化できる。また、前記電極ばねは適度な弾
性を有するとともに導電性を有するものを広く採用することができるので、従来の配線基
板のように特殊な材料を用いる必要がなく、生産性を高め、低コスト化が可能である光デ
ィスク装置を提供することができる。
【００２６】
さらに、電極ばねは電源供給端子部と常に接触するように配置されるだけであり、はん
だ付け等の作業が不要であるので製造及びメンテナンス時の手間、時間を削減することが
可能である。
【００２７】
上記目的を達成するために本発明は、レーザ光を照射するレーザ光源と、前記レーザ光
を反射するミラーと、前記レーザ光を平行光にするコリメータレンズと、前記レーザ光を
前記光ディスクに照射するための対物レンズと、前記光ディスクで反射した光を分光する
ビームスプリッタと、光を受光し電気信号に変換する受光素子と、前記対物レンズを駆動
するアクチュエータとを備えており、前記アクチュエータは、底部と、前記底部と垂直に
突出する立ち上がり部と、接地され前記底部の略中央に前記立ち上がり部と同じ方向に突
出した円柱状のシャフトと、前記立ち上がり部に前記シャフトを挟んで配置され前記シャ
フトとの間に磁界を形成する永久磁石とを備えるケースと、前記ケース内に配置され、前
記対物レンズが保持されるレンズ保持部と、前記レンズ保持部の略中央に前記シャフトと
回動可能且つ摺動可能に外嵌する円筒形状の軸孔と、前記軸孔と連続して形成され、円筒
形状の一部が切り取られた形状であり表面に導電性を有する２個の電力供給端子部が備え
られたスリーブと、前記軸孔を挟んで正対し、前記磁界内に一部が配置されるトラッキン
グコイルと、前記軸孔を外嵌し一部が前記磁界内に配置されるフォーカシングコイルと、
導電性を有し前記フォーカシングコイルの前記レンズ保持部の反対側に配置され、前記シ
ャフトと常時通電状態で接触するための接触通電部を有する磁性板と、を備えたレンズホ
ルダと、導電性を有し、互いに接触しないように配置された２本の電力供給用の電極ばね
と、を有しており、前記トラッキングコイル及び前記フォーカシングコイルの導線の一方
の端部は前記磁性板に電気的に接続されており、前記２個の電力供給端子部は互いに電気
的に非接触に配置されるとともに、それぞれ前記トラッキングコイル及び前記フォーカシ
ングコイルの他方の端部が接続されており、前記２本電極ばねは前記スリーブに向けて付
勢され、それぞれ電力供給端子部に常に接触するとともに、前記フォーカシングコイル及
び前記トラッキングコイルそれぞれに独立して電力を供給することを特徴とする光ヘッド
を提供する。
【００２８】
この構成によると、前記フォーカシングコイル及び前記トラッキングコイルに電力を供
給するための配線を省略することができるので、該配線の可動範囲の限界による前記レン
ズホルダの動作の制限がなくなる。また、可動範囲内であっても、前記配線のねじれ等の
変形による力などの不確定な要素を取り除くことができるので、前記レンズホルダのフォ
ーカシング動作及びトラッキング動作の制御を簡易化することができるとともに、動作精
度を上げることができる。
【００２９】
また、前記フォーカシングコイル及び前記トラッキングコイルの接地側の端部はいずれ
も前記磁性板に接続され、前記ケースのシャフトを介して接地されるので、接地側の配線
を共通化するので、電力を供給する配線を簡略化できる。また、前記電極ばねは適度な弾
性を有するとともに導電性を有するものを広く採用することができるので、従来の配線基
板のように特殊な材料を用いる必要がなく、生産性が高く、低コスト化が可能である。
【００３０】
電極ばねは前記スリーブの曲面にそって配置される電源供給端子部と接触するように配
置されるものであり、安定して電力を供給することができる。また、はんだ付け等の作業
が不要であるので製造及びメンテナンス時の手間、時間を削減することが可能である。
【００３１】
上記目的を達成するために本発明は、レーザ光を照射するレーザ光源と、前記レーザ光
を反射するミラーと、前記レーザ光を平行光にするコリメータレンズと、前記レーザ光を
前記光ディスクに照射するための対物レンズと、前記光ディスクで反射した光を分光する
ビームスプリッタと、光を受光し電気信号に変換する受光素子と、前記対物レンズを駆動
するアクチュエータとを備えており、前記アクチュエータは、底部と、前記底部と垂直に
突出する立ち上がり部と、接地され前記底部の略中央に前記立ち上がり部と同じ方向に突
出した円柱状のシャフトと、前記立ち上がり部に前記シャフトを挟んで配置され前記シャ
フトとの間に磁界を形成する永久磁石とを備えるケースと、前記ケース内に配置され、前
記対物レンズが保持されるレンズ保持部と、前記レンズ保持部の略中央に前記シャフトと
回動可能且つ摺動可能に外嵌する円筒形状の軸孔と、前記軸孔と連続して形成され、円筒
形状の一部が切り取られた形状のスリーブと、前記軸孔を挟んで正対し、前記磁界内に一
部が配置されるトラッキングコイルと、前記軸孔を外嵌し一部が前記磁界内に配置される
フォーカシングコイルと、導電性を有し前記フォーカシングコイルの前記レンズ保持部の
反対側に配置され、前記シャフトと常時通電状態で接触するための接触通電部を有する磁
性板と、を備えたレンズホルダと、
導電性を有し、互いに接触しないように配置された２本の電力供給用の電極ばねと、を
有しており、前記トラッキングコイル及び前記フォーカシングコイルの導線の一方の端部
は前記磁性板に電気的に接続されており、他方の端部は被覆を取り除かれ、前記軸孔の軸
方向に延び、互いに接触しないように前記スリーブの表面に配置され電力供給部が形成さ
れており、前記２本電極ばねは前記スリーブに向けて付勢され、それぞれ前記トラッキン
グコイル及び前記フォーカシングコイルの電力供給部に常に接触するとともに、前記フォ
ーカシングコイル及び前記トラッキングコイルそれぞれに独立して電力を供給することを
特徴とする光ヘッドを提供する。
【００３２】
この構成によると、前記フォーカシングコイル及び前記トラッキングコイルに電力を供
給するための配線を省略することができるので、該配線の可動範囲の限界による前記レン
ズホルダの動作の制限がなくなる。また、可動範囲内であっても、前記配線のねじれ等の
変形による力などの不確定な要素を取り除くことができるので、前記レンズホルダのフォ
ーカシング動作及びトラッキング動作の制御を簡易化することができるとともに、動作精
度を上げることができる。
【００３３】
また、前記フォーカシングコイル及び前記トラッキングコイルの接地側の端部はいずれ
も前記磁性板に接続され、前記ケースのシャフトを介して接地されるので、接地側の配線
を共通化するので、電力を供給する配線を簡略化できる。また、前記電極ばねは適度な弾
性を有するとともに導電性を有するものを広く採用することができるので、従来の配線基
板のように特殊な材料を用いる必要がなく、生産性が高く、低コスト化が可能である。
【００３４】
電極ばねは電源供給部と接触するように配置されるだけであり、簡単な構成で形成され
るとともに、安定して電力を供給することができる。また、はんだ付け等の作業が不要で
あるので製造及びメンテナンス時の手間、時間を削減することが可能である。
【００３５】
上記目的を達成するために本発明は、レーザ光を照射するレーザ光源と、接地され前記
底部の略中央に前記立ち上がり部と同じ方向に突出した円柱状のシャフトと、前記立ち上
がり部に前記シャフトを挟んで配置され前記シャフトとの間に磁界を形成する永久磁石と
を備えるケースと、前記ケース内に配置され、前記対物レンズが保持されるレンズ保持部
と、前記レンズ保持部の略中央に前記シャフトと回動可能且つ摺動可能に外嵌する円筒形
状の軸孔と、前記軸孔と連続して形成され、円筒形状の一部が切り取られた形状のスリー
ブと、前記磁界内に一部が配置される複数個の駆動コイルと、導電性を有し前記シャフト
と常時通電状態で接触するための接触通電部を有する磁性板とを備えるレンズホルダと、
導電性を有し、互いに接触しないように配置された前記複数個の駆動コイルに対応した電
力供給用の電極ばねとを備えており、前記駆動コイルの導線の一方の端部は前記磁性板に
電気的に接続されており、他方の端部は被覆を取り除かれ、互いに接触しないように前記
スリーブの表面に前記軸孔の軸方向に平行に配置される電力供給部が形成されており、前
記２本電極ばねは前記スリーブに向けて付勢され、それぞれ前記複数個の駆動コイルの電
力供給部に常に接触するとともに、前記複数個の駆動コイルそれぞれに独立して電力を供
給することを特徴とする光ヘッドを提供する。
【００３６】
この構成によると、前記フォーカシングコイル及び前記トラッキングコイルに電力を供
給するための配線を省略することができるので、該配線の可動範囲の限界による前記レン
ズホルダの動作の制限がなくなる。また、可動範囲内であっても、前記配線のねじれ等の
変形による力などの不確定な要素を取り除くことができるので、前記レンズホルダのフォ
ーカシング動作及びトラッキング動作の制御を簡易化することができるとともに、動作精
度を上げることができる。
【００３７】
また、前記フォーカシングコイル及び前記トラッキングコイルの接地側の端部はいずれ
も前記磁性板に接続され、前記ケースのシャフトを介して接地されるので、接地側の配線
を共通化するので、電力を供給する配線を簡略化できる。また、前記電極ばねは適度な弾
性を有するとともに導電性を有するものを広く採用することができるので、従来の配線基
板のように特殊な材料を用いる必要がなく、生産性が高く、低コスト化が可能である。
【００３８】
上記構成において、前記電極ばねの前記スリーブと接触する部分は該スリーブの表面に
沿う形状を有していてもよく、前記スリーブの表面に導電性の電力供給端子部が備えられ
、前記電力供給端子部は前記複数のコイルそれぞれに対応し、該電力供給端子部同士は電
気的に非接触に配置されるとともに前記複数のコイルの電力供給部は前記電力供給端子部
に電気的に接続され、前記複数の電極ばねは対応する前記電力供給端子部にそれぞれ独立
して常時接触するとともに電力を供給するものであってもよい。
【００３９】
このように、前記電極ばね及び前記電力供給端子部を前記スリーブに沿うように形成し
、前記レンズホルダが回動及び摺動しても該電極ばねと前記電力供給部及び電力供給端子
部が確実に接触した状態に保たれるので、コイルに安定して電流が供給されるので該レン
ズホルダを精度良く動作させることができる。
【発明の効果】
【００４０】
本発明によると、フォーカシングコイル及びトラッキングコイルに電力を供給するＦＦ
Ｃ、ＦＰＣ等の配線基板を抹消し、該配線基板による予測できない（予測しにくい）力が
発生するのを防ぎ、フォーカシング、トラッキングの精度を高めることができるとともに
耐久性を高めることができる光ヘッド及び光ヘッドを用いた光ディスク装置を提供するこ
とができる。
【００４１】
また本発明によると、配線基板を抹消するとともに、前記フォーカシングコイル及びト
ラッキングコイルに電力を供給する配線を簡易化することができ、製造にかかる手間、時
間を削減することができる光ヘッド及び光ヘッドを用いた光ディスク装置を提供すること
ができる。
【発明を実施するための最良の形態】
【００４２】
以下に本発明の実施形態を図面を参照して説明する。図１に本発明にかかる光ディスク
装置の配置図を示す。図１に示す光ディスク装置は、それには限定されないがここではＤ
ＶＤプレーヤである。図１に示すＤＶＤプレーヤＰＬは、光ディスクＤｓを回転させるス
ピンドルモータＳｐと、光ディスクＤｓに光を照射し情報を読出す光ヘッドＡと、光ヘッ
ドＡで検出された信号を復号化するデコーダＤｃと、外部の表示装置であるモニタＭｎに
接続するための外部接続部Ｏｃと、制御部Ｃｏｎｔとを備えている。
【００４３】
ＤＶＤプレーヤＰＬは制御部Ｃｏｎｔによって制御されており、使用者よりＤＶＤを再
生する命令がなされると、まず、スピンドルモータＳｐを駆動し光ディスクＤｓを回転さ
せる。光ヘッドＡより回動している光ディスクＤｓにレーザ光を照射し、その反射光を光
ヘッドＡで検出する。光ヘッドＡに備えられた後述の受光素子Ｐｄは検出した光を電気信
号に変換するものであり、電気信号はデコーダＤｃに送られ映像用の信号に復調され、外
部接続部Ｏｃを介してモニタＭｎに送られ、モニタＭｎに映像を表示する。
【００４４】
図２に光ヘッドの一例の配置図を示す。図２に示す光ヘッドＡは、従来と実質上同一の
構造を有している。すなわち、レーザ光源Ｌｄと、ミラーＭｒと、コリメータレンズ３と
、対物レンズ４と、ビームスプリッタＢｓと、受光素子Ｐｄとを有している。レーザ光源
Ｌｄより照射されたレーザ光はミラーＭｒで反射され、コリメータレンズ３に入射し、平
行光に変化してコリメータレンズ３より出射する。コリメータレンズ３より出射したレー
ザ光は対物レンズ４に入射し対物レンズ４より光ディスクＤｓに照射される。
【００４５】
このときレーザ光は光ディスクＤｓの記録層に焦点をあわせて、且つ、光軸と光ディス
クＤｓの記録層とが垂直になるようにレーザ光を照射する。ビームスプリッタＢｓは入射
されたレーザ光の半分を透過し半分を反射するプリズムであり、光ディスクＤｓで反射し
た光を受光素子Ｐｄに導くものである。受光素子Ｐｄは光を電流に変換するものであり、
光の強さによってデータを読み取るものである。上述の各部材へのレーザ光の照射順序は
これに限定されるものではなく、可能な範囲で順序が入れ替わっているものであっても良
い。
【００４６】
図３に本発明に係る光ヘッドの平面図を、図４に図３に示す光ヘッドの側面図を示す。
図３、図４に示すように光ヘッドＡはコリメータレンズ３を支持するベース１と、対物レ
ンズ４を駆動するためのアクチュエータ２とを備えている。ベース１の側面には光ヘッド
Ａの動作をディスクトラック方向（ディスク半径方向）に動作方向を規制するために形成
された軸１０と、軸１０と摺動可能に係合する摺動孔１１と、摺動孔１１に隣接して形成
されるラックギヤ１２と、ラックギヤ１２と歯合するピニオンギヤ１３とを備えている。
【００４７】
アクチュエータ２はベース１にボルト留めにて固定される。アクチュエータ２は、対物
レンズ４を保持するためのレンズホルダ２１と、内部にレンズホルダ２１を配置するケー
ス２２と、レンズホルダ２１に設けられた後述するトラッキングコイル２１３及びフォー
カシングコイル２１４にそれぞれ独立して電力を供給する電極ばね２３とを有している。
【００４８】
図５に図３に示す光ヘッドに用いられるアクチュエータの正面図を、図６に図５に示す
アクチュエータの底面図を、図７に図５に示すアクチュエータの側面図をそれぞれ示す。
ケース２２は平面視矩形状を有しており、底部２２１と、底部２２１の周囲から底部２２
１と垂直に立ち上がる立ち上がり部２２２と、底部２２１の略中央部に立ち上がり部２２
２と同じ方向に突出する円柱状のシャフト２２３と、立ち上がり部２２２に配置され、シ
ャフト２２３を挟んで対向して配置される２個の永久磁石２２４とを有している。シャフ
ト２２３は導電性を有するとともに、磁性体で形成されており、永久磁石２２４とシャフ
ト２２３の間には磁界が形成されている。永久磁石２２４の磁界はそれには限定されない
が、いずれの磁界も磁力線の向きが永久磁石２２４からシャフト２２３に向かっている。
底部２２１にはレーザ光が通過するための貫通した光通過孔２２０が形成されている。
【００４９】
レンズホルダ２１は、対物レンズ４を保持するためのレンズ保持部２１１と、レンズ保
持部２１１の略中心部にシャフト２２３と摺動可能且つ回動可能に外嵌する軸孔２１２と
、レンズホルダ２１の側面に軸孔２１２を挟んで対面して配置されるトラッキングコイル
２１３と、軸孔２１２を取り囲むように配置されるフォーカシングコイル２１４と、フォ
ーカシングコイル２１４の下面に軸孔２１２の中心軸と直行するように配置される磁性板
２１５と、磁性板２１５の下方に軸孔２１２を部分的に取り囲むように延びる曲面を有す
るスリーブ２１６とを有している。磁性板２１５は導電性も有している。
【００５０】
軸孔２１２はシャフト２２３を外嵌するように配置される。このとき、ケース２２の永
久磁石２２４とシャフト２２３の間には磁界が発生しており、その磁界に磁性板２１５が
配置されることで磁性板２１５に付与する磁気力によって、レンズホルダ２１は底部２２
１と接触することなく支持される。また、磁性板２１５はケース２２内に配置されている
ときに、シャフト２２３と常時通電接触する接触通電部２１５１を有している。シャフト
２２３と接触通電部２１５１とが接触することで、磁性板２１５は常に接地された状態に
なっている。
【００５１】
トラッキングコイル２１３を形成している導線の一方の端部２１３１は、磁性板２１５
に電気的に接続されている。また、フォーカシングコイル２１４を形成している導線の一
方の端部２１４１も、磁性板２１５に電気的に接続されている。このことにより、トラッ
キングコイル２１３の一方の端部２１３１及びフォーカシングコイル２１４の一方の端部
２１４１は接地される。また、トラッキングコイル２１３の導線の他方の端部２１３２は
スリーブ２１６の表面に軸孔２１２の中心軸と平行に取付け固定されている。フォーカシ
ングコイル２１４の導線の他方の端部２１４２もスリーブ２１６の表面に軸孔２１２の中
心軸と平行に取付け固定されている。
【００５２】
トラッキングコイル２１３の他方の端部２１３２とフォーカシングコイル２１４の他方
の端部２１４２は接触しないようにスリーブ２１６に取付け固定されている。トラッキン
グコイル２１３の他方の端部２１３２とフォーカシングコイル２１４の他方の端部２１４
２のスリーブ２１６に固定されている部分は、被覆が取り除かれて、電力供給部２１３３
、２１４３が形成されている。
【００５３】
図３に示すように、アクチュエータ２には側面部より２本の電極ばね２３が配置されて
いる。電極ばね２３は図示を省略した取付部に取り付けられ、その弾性力でスリーブ２１
６を押し付けるように力を付勢している。電極ばね２３は、それぞれ、トラッキングコイ
ル２１３の他方の端部２１３２及びフォーカシングコイル２１４の他方の端部２１４２の
電力供給部２１３３、２１４３と独立して接触する。
【００５４】
トラッキングコイル２１３及びフォーカシングコイル２１４の一方の端部２１３１、２
１４１が接地されているので、電極ばね２３よりトラッキングコイル２１３及び（又は）
フォーカシングコイル２１４の電力供給部２１３３、２１４３に電力が供給されると、ト
ラッキングコイル２１３及び（又は）フォーカシングコイル２１４に電流が流れる。
【００５５】
図５に示すようにトラッキングコイル２１３は導線が矩形状にまかれたコイルであり、
軸孔２１２の中心軸と平行な方向に延びる導線が永久磁石２２４とシャフト２２３で形成
される磁界内に入るように配置されている。また、フォーカシングコイル２１４も導線が
矩形状に巻かれたコイルであり、導線が磁界内に入るように、且つ、軸孔２１２を取り囲
むように配置されている。
【００５６】
トラッキングコイル２１３の磁界内に配置された導線に電流が流されることで、導線に
磁束方向及び電流の流れる方向の両方に直交する方向、すなわち、軸孔２１２の周方向に
ローレンツ力が発生する。軸孔２１２をはさんで配置されたトラッキングコイル２１３で
電流の流れ方向を調整し、ローレンツ力の方向を調整することで、トラッキングコイル２
１３が配置されたレンズ保持部２１１をシャフト２２３を中心に回転させることができる
。すなわち、電流の流れ方向を適当に変化させることで対物レンズ４をシャフト２２３を
中心に揺動させることができる。この揺動によって、対物レンズ４の焦点位置を動かすト
ラッキング動作を行うことができる。
【００５７】
フォーカシングコイル２１４も同様に磁界内に配置された導線に電流が流れることで、
導線に磁束方向及び電流の流れる方向の両方に直交する方向、すなわち、軸孔２１２の軸
方向にローレンツ力が発生する。ローレンツ力によってレンズホルダ２１はシャフト２２
３の軸方向に摺動する。電流の向きを適当に変化させることで、レンズホルダ２１をシャ
フト２２３の軸方向に往復摺動させることができ、光ディスクＤｓの記録面に焦点を合わ
せるためのフォーカシング動作を行うことができる。
【００５８】
アクチュエータ２がトラッキング動作を行う場合、レンズホルダ２１はシャフト２２３
を中心に往復動する。このとき、電極ばね２３はスリーブ２１６に押し付けられているの
で、レンズホルダ２１が往復動するときでも、電極ばね２３はトラッキングコイル２１３
及びフォーカシングコイル２１４の電力供給部２１３３、２１４３と接触し、トラッキン
グコイル２１３及びフォーカシングコイル２１４に常時安定して電力を供給することがで
きる。
【００５９】
また、トラッキングコイル２１３及びフォーカシングコイル２１４の電力供給部２１３
３、２１４３はスリーブ２１６の表面に軸孔２１２の軸方向、換言すれば、レンズホルダ
２１のフォーカシング方向に延伸して配置されている。これにより、レンズホルダ２１が
トラッキング動作を行う場合であっても、電極ばね２３はトラッキングコイル２１３及び
フォーカシングコイル２１４の電力供給部２１３３、２１４３と接触し、トラッキングコ
イル２１３及びフォーカシングコイル２１４に常時安定して電力を供給することができる
。
【００６０】
さらに、トラッキングコイル２１３の電力供給部２１３３と接触する電極ばね２３の長
さ及び角度を調整し、レンズホルダ２１の回動角が所定の角度になったときに電極ばね２
３とトラッキングコイル２１３の電力供給部２１３３との接触が切れるようにしても良い
。このように電極ばね２３を配置することで、レンズホルダ２１の回動角度の最大値を制
限することができ、誤作動等によってレンズホルダ２１がケース２２に接触する等の不具
合の発生を抑制することができる。
【００６１】
また、フォーカシングコイル２１４の電力供給部２１４３の被覆が取り除かれている部
分を少なくすることで、フォーカシング動作時のレンズホルダ２１の摺動範囲を制限する
ことが可能である。レンズホルダ２１の摺動範囲を制限することでフォーカシング動作時
にレンズホルダ２１や対物レンズ４がケース２２やディスクＤｓと接触するのを防止する
ことができる。
【００６２】
図８に本発明にかかるアクチュエータの他の例の底面図を示す。図８に示すアクチュエ
ータ２ｂは、レンズホルダ２１と電極ばね２４を示すものであり、電極ばね２４以外の部
分は図３に示すアクチュエータ２と同じ形状を有しており、実質上同一の部分には同一の
符号が付してある。
【００６３】
図８に示すように、アクチュエータ２ｂの電極ばね２４は先端部２４１がレンズホルダ
２１のスリーブ２１６に沿って摺動可能に接触することのできる形状（ここでは、円弧形
状）を有している。電極ばね２４の先端部２４１はレンズホルダ２１のスリーブ２１６に
密接している。電極ばね２４の先端部２４１が円弧形状に形成されているので、レンズホ
ルダ２１がトラッキング動作のためにシャフト回りに回動しても、トラッキングコイル２
１３の電力供給部２１３３及びフォーカシングコイル２１４の電力供給部２１４３と常時
接触することができる。電極ばね２４が常時接触することにより、トラッキングコイル２
１３及びフォーカシングコイル２１４に安定して電力を供給することができ、安定してト
ラッキング動作及びフォーカシング動作を行うことができる。
【００６４】
図９に本発明にかかるアクチュエータのさらに他の例の底面図を、図１０に図９に示す
アクチュエータの側面図を示す。図９、１０に示すアクチュエータ２ｃは、レンズホルダ
２１と電極ばね２３を示すものであり、レンズホルダ２１のスリーブ２１６に電力供給端
子部２１７を備えている以外は、図３に示すアクチュエータＡと同じ構成を有しており、
実質上同一の部分には同一の符号が付してある。
【００６５】
図９、１０に示すようにアクチュエータ２ｃには、レンズホルダ２１のスリーブ２１６
に電力供給端子部２１７を備えている。電力供給端子部２１７は互いに非接触な２個の第
１端子部２１７１及び第２端子部２１７２を有している。第１端子部２１７１にはトラッ
キングコイル２１３の他方の端部２１３２が、第２端子部２１７２にはフォーカシングコ
イル２１４の他方の端部２１４２がそれぞれ電気的に接続されている。
【００６６】
第１端子部２１７１及び第２端子部２１７２はスリーブ２１６の軸方向及び円周方向に
延びており、２本の電極ばね２３は第１端子部２１７１及び第２端子部２１７２とそれぞ
れ個別の接触している。レンズホルダ２１がトラッキング動作による軸周り回動や、フォ
ーカシング動作による軸方向の摺動を行っても、第１端子部２１７１及び第２端子部２１
７２と電極ばね２３とは常時接触した状態になるので、レンズホルダ２１のトラッキング
動作及びフォーカシング動作を安定して行うことが可能である。
【００６７】
上記各実施例では、電極ばね２３を２本備えたものを例に説明しているが、それに限定
されるものではなく、トラッキングコイル２１３、フォーカシングコイル２１４に独立し
て電力を供給することができる本数を広く採用することができる。また、光ヘッドのベー
ス１の駆動方法としてラックギヤ１２及びピニオンギヤ１３を用いるものを例に説明して
いるが、それに限られるものではなく、直線方向に摺動させる機構を広く採用することが
できる。
【００６８】
上記実施例では光ディスク装置としてＤＶＤプレーヤを例に説明しているが、それに限
定されるものではなく、光ディスクにレーザ光を照射して情報を読み出したり、記録可能
な光ディスクに情報を記録したりする光ディスク装置を挙げることができる。
【産業上の利用可能性】
【００６９】
本発明の光ヘッドは、ＤＶＤ、ＣＤ、ＬＤ等の光ディスクにレーザ光を照射して情報を
読み出したり、書込み可能な光ディスクに情報を記録したりする光ディスク装置において
適用することができる。
【図面の簡単な説明】
【００７０】
【図１】本発明にかかる光ディスク装置の配置図である。
【図２】光ヘッドの一例の配置図である。
【図３】本発明に係る光ヘッドの平面図である。
【図４】図３に示す光ヘッドの断面図である。
【図５】図３に示す光ヘッドに用いられるアクチュエータの正面図である。
【図６】図５に示すアクチュエータの底面図である。
【図７】図５に示すアクチュエータの側面図である。
【図８】本発明にかかるアクチュエータの他の例の底面図である。
【図９】本発明にかかるアクチュエータのさらに他の例の底面図である。
【図１０】図９に示すアクチュエータの側面図である。
【図１１】従来の光ヘッドの一例の平面図である。
【図１２】図１１に示すアクチュエータの断面図である。
【符号の説明】
【００７１】
ＰＬ  ＤＶＤプレーヤ
Ｓｐ  スピンドルモータ
Ａ  光ヘッド
Ｄｃ  デコーダ
Ｍｎ  モニタ
Ｏｃ  外部接続部
Ｃｏｎｔ  制御部
Ｄｓ  光ディスク
Ｍｒ  ミラー
Ｂｓ  ビームスプリッタ
Ｌｄ  レーザ光源
Ｐｄ  受光部
１  ベース
１０  軸
１１  摺動孔
１２  ラックギヤ
１３  ピニオンギヤ
２  アクチュエータ
２１  レンズホルダ
２１１  レンズ保持部
２１２  軸孔
２１３  トラッキングコイル
２１３１  一方の端部
２１３２  他方の端部
２１３３  電源供給部
２１４  フォーカシングコイル
２１４１  一方の端部
２１４２  他方の端部
２１４３  電源供給部
２１５  磁性板
２１５１  接触通電部
２１６  スリーブ
２１７  電力供給端子部
２１７１  第１端子部
２１７２  第２端子部
２２  ケース
２２１  底部
２２２  立ち上がり部
２２３  シャフト
２２４  永久磁石
２３  電源ばね
２４  電源ばね
３  コリメータレンズ
４  対物レンズ
【図１】
2006155813.tif 000003
【図２】
2006155813.tif 000004
【図３】
2006155813.tif 000005
【図４】
2006155813.tif 000006
【図５】
2006155813.tif 000007
【図６】
2006155813.tif 000008
【図７】
2006155813.tif 000009
【図８】
2006155813.tif 000010
【図９】
2006155813.tif 000011
【図１０】
2006155813.tif 000012
【図１１】
2006155813.tif 000013
【図１２】
2006155813.tif 000014